(57)【要約】【課題】自動車の掃除及び脱臭のサービスを容易に提供することを可能にする。【解決手段】自動車用掃除機１は、外部から吸込ホース６０を介してエアを吸引して排出するコンプレッサ１８、及びエアとともに吸引した異物をエアから除去して貯留する集塵バケツ２０を有する掃除部３と、オゾンを発生させるオゾン発生装置３０、コンプレッサ１８から排出されたエアをオゾン発生装置３０に導く導入ホース６２、及びオゾン発生装置３０から発生したオゾンと導入ホース６２から導入されたエアとを混合して外部に排出する排気ホース６４を脱臭部５と、電気自動車の充電を行う充電部７を備えている。【選択図】図１
0003158046.tif 000002
【実用新案登録請求の範囲】
【請求項１】
外部からエアを吸引して排出する吸排気手段、及びエアとともに吸引した異物をエアから除去して貯留する集塵手段を有する掃除部と、
オゾンを発生させるオゾン発生手段、前記吸排気手段から排出されたエアを前記オゾン発生手段に導く案内部材、及び当該オゾン発生手段から発生したオゾンを外部に排出する排出部材とを有する脱臭部とを備えたことを特徴とする自動車用掃除機。
【請求項２】
前記脱臭部は、
前記案内部材に設けられ、前記案内部材内の圧力を調整する圧力調整弁と、
前記案内部材に設けられ、前記オゾン発生手段に導入するエアの流量を調整する流量調整弁と、
前記オゾン発生手段に電源を供給するオゾン発生用高圧電源とを有し、
前記掃除部は、
外部操作によって各種の入力を行う操作手段と、
前記操作手段の入力に基づいて前記吸排気手段又は前記オゾン発生用高圧電源の少なくともいずれか一方を起動、停止する制御を行う制御回路とを有することを特徴とする請求項１記載の自動車用掃除機。
【請求項３】
前記掃除部及び前記脱臭部は、同一筐体内に収納されていることを特徴とする請求項１又は２記載の自動車用掃除機。
【請求項４】
蓄電池を動力源とする自動車に接続し、前記蓄電池を充電する充電部を備えたことを特徴とする請求項１乃至３のいずれか１項記載の自動車用掃除機。
【考案の詳細な説明】
【技術分野】
【０００１】
本考案は、自動車内の掃除を行う自動車用掃除機に関する。
【背景技術】
【０００２】
従来より、例えば、ガソリンスタンドや有料洗車場において、洗車のサービスの他に、追加サービスとして、車内掃除のサービスを提供しているところがある。車内掃除としては、強力なエア吸引力を有する掃除機が一般に用いられる。
また、自動車車内には、タバコ、ペット、食べ物、カビなど様々な臭いがあり、このような臭いは、車内掃除では除去することができない。そこで、追加サービスとして、車内脱臭のサービスを提供しているところがある。車内脱臭としては、オゾンを利用した脱臭装置が一般に用いられる。オゾンは、脱臭、殺菌効果を有する物質であるとともに、作用後は酸素に戻るため残留性などの心配もなく、安全性に富んでいる。また、オゾンは臭気成分を直接分解し、比較的短時間で大きな脱臭効果を発揮でき、また、塩素の数倍から数十倍ともいわれる強力な殺菌効果を発揮することが知られている。
【０００３】
従来の自動車用オゾン脱臭装置としては、オゾン発生器で生成されたオゾンを車内にホースで送入することで自動車車内の脱臭をする装置が提案されている（特許文献１）。
【先行技術文献】
【特許文献】
【０００４】
【特許文献１】実用新案登録第３１４２６４５号公報
【考案の概要】
【考案が解決しようとする課題】
【０００５】
しかしながら、自動車用オゾン脱臭装置は、脱臭・殺菌目的だけの装置にしてはまだ販売価格が高く、市場のニーズに合っていないのが現状である。このため、自動車用掃除機と自動車用オゾン脱臭装置の両方を導入することが困難であり、自動車の掃除と脱臭の両方のサービスを容易に提供することが困難であった。
【０００６】
本考案は、このような問題点を解決し、自動車の掃除及び脱臭のサービスを容易に提供することを可能にした自動車用掃除機を提供することを目的とする。
【課題を解決するための手段】
【０００７】
本考案は、前記目的を達成するため、次に記載する構成を備えている。
【０００８】
（１）外部からエアを吸引して排出する吸排気手段、及びエアとともに吸引した異物をエアから除去して貯留する集塵手段を有する掃除部と、オゾンを発生させるオゾン発生手段、前記吸排気手段から排出されたエアを前記オゾン発生手段に導く案内部材、及び当該オゾン発生手段から発生したオゾンと前記案内部材から導入されたエアとを混合して外部に排出する排出部材とを有する脱臭部とを備えたことを特徴とする自動車用掃除機。
【０００９】
（１）によれば、オゾン脱臭機能を備えた自動車用掃除機を提供することが可能になる。また、１つの吸排気手段（例えば、ブロワ、コンプレッサ）によって、掃除部におけるゴミの吸引と、脱臭部におけるオゾンとエアの混合気体の放出とが行われる。このように、吸排気手段の共用が可能になり、その分、低コスト化を図ることが可能になる。その結果、オゾン脱臭機能を備えた自動車用掃除機が導入し易くなり、自動車の掃除及び脱臭のサービスを容易に提供することが可能になる。
【００１０】
（２）（１）において、前記脱臭部は、前記案内部材に設けられ、前記案内部材内の圧力を調整する圧力調整弁と、前記案内部材に設けられ、前記オゾン発生手段に導入するエアの流量を調整する流量調整弁と、前記オゾン発生手段に電源を供給するオゾン発生用高圧電源とを有し、前記掃除部は、外部操作によって各種の入力を行う操作手段と、前記操作手段の入力に基づいて前記吸排気手段又は前記オゾン発生用高圧電源の少なくともいずれか一方を起動、停止する制御を行う制御回路とを有することを特徴とする自動車用掃除機。
【００１１】
（２）によれば、吸排気手段の他に、操作手段（操作パネル）及び制御回路を共有することが可能になり、その分、低コスト化を図ることが可能になる。
【００１２】
（３）（１）、（２）において、前記掃除部及び前記脱臭部は、同一筐体内に収納されていることを特徴とする自動車用掃除機。
【００１３】
（３）によれば、筐体が一つで済む分だけ、低コスト化を図ることが可能になる。
【００１４】
（４）（１）〜（３）において、蓄電池を動力源とする自動車に接続し、前記蓄電池を充電する充電部を備えたことを特徴とする自動車用掃除機。
【００１５】
（４）によれば、電気自動車の充電機能を備えることにより、自動車用掃除機の多機能化が図れる。
【考案の効果】
【００１６】
本考案によれば、自動車用掃除機と機能と自動車用脱臭装置としての機能とを有し、両機能を実行させる際に、吸排気手段を共用することによって、低コスト化を図ることが可能になる。その結果、オゾン脱臭機能を備えた機器が導入し易くなり、自動車の掃除及び脱臭のサービスを容易に提供することが可能になる。
【図面の簡単な説明】
【００１７】
【図１】本考案の一実施形態における自動車用掃除機１の概略構成を示すブロック図である。
【図２】本考案の一実施形態におけるオゾン発生装置３０の概略構成を示す図である。
【図３】本考案の一実施形態における自動車用掃除機１の外観構成及び利用形態を示す図である。
【考案を実施するための形態】
【００１８】
以下、本考案の実施形態について、図面を参照しながら説明する。
図１は本考案の一実施形態における自動車用掃除機１の概略構成を示すブロック図である。自動車用掃除機１は、ゴミを吸引する掃除部３と、車内にオゾンを含むエアを放出することによって車内の脱臭を行う脱臭部５と、蓄電池を動力源とする自動車（以下、電気自動車と称する）に接続し、電気自動車の蓄電池を充電する充電部７とを備えている。
【００１９】
［掃除部の構成］
掃除部３は、制御回路１０、操作パネル１２、コイン識別装置１４、プリペイドカード装置１６、コンプレッサ１８、及び集塵バケツ２０などから構成されている。
【００２０】
制御回路１０には、脱臭部５、電源５０、操作パネル１２、コイン識別装置１４、プリペイドカード装置１６及びコンプレッサ１８が接続されている。操作パネル１２は、自動車用掃除機１の本体に設けられている。操作パネル１２には、掃除部３を起動させる起動スイッチ（図示せず）、脱臭部５を起動させる起動スイッチ（図示せず）、充電部７を起動させる起動スイッチ（図示せず）が備えられており、これらの起動スイッチは、使用者によって操作される。
【００２１】
制御回路１０は、予め設定した規定時間だけコンプレッサ１８と電源５０とを接続し、又は予め設定した規定時間だけ脱臭部５と電源５０とを接続し、規定時間においてコンプレッサ１８及び脱臭部５に電力を供給するタイマ制御を行うものである。
【００２２】
自動車用掃除機１の本体には、図示しないコイン投入口及びプリペイドカードスロットが設けられている。コイン識別装置１４は、コイン投入口に投入されたコインの種類を識別するものであり、プリペイドカード装置１６は、プリペイドカードスロットに挿入されたプリペイドカードの有価価値情報の読み取り、情報更新を行うものである。
【００２３】
コンプレッサ１８と集塵バケツ２０とによって集塵ユニット２２が形成されており、集塵バケツ２０に、吸込ホース６０が取り付けられている。また、コンプレッサ１８には、導入ホース６２が取り付けられている。
【００２４】
コンプレッサ１８は、吸排気手段に相当するものであり、空気を圧縮することにより、吸込ホース６０から吸気を行ったり、導入ホース６２に対して排気を行ったりするものである。集塵バケツ２０は、吸込ホース６０からエアとともに吸引されたゴミを溜めるものである。集塵ユニット２２の内部には、図示しないフィルタが設けられており、吸込ホース６０から吸い込まれたエアは、フィルタを通過する際にゴミや粉塵が除去される。
【００２５】
［脱臭部の構成］
脱臭部５は、オゾン発生装置３０、オゾン生成用高圧電源３２、変圧器３４、リレー回路３６、圧力調整弁３８、流量調整弁４０、４２などから構成されている。
【００２６】
オゾン発生装置３０は、オゾンを発生するものであり、オゾン生成用高圧電源３２は、オゾン発生装置３０に供給する高電圧を発生するものである。オゾン発生装置３０は、図２に示すように、内部に対向配置された電極３１、３１を備えており、この電極に対してオゾン生成用高圧電源３２から高電圧を供給し、電極３１、３１間で放電させる無声放電方式により、オゾンを発生するものである。
【００２７】
リレー回路３６には、制御回路１０及び変圧器３４が接続されている。変圧器３４は、電源５０の交流電力の電圧の高さを、オゾン生成用高圧電源３２に対応した高さに変換するものである。リレー回路３６は、オゾン生成用高圧電源３２に対する電源５０からの電力供給の開始、停止を切り換えるものであり、これにより、オゾン生成用高圧電源３２の起動、停止が切り換えられる。
【００２８】
コンプレッサ１８と圧力調整弁３８とは導入ホース６２によって接続されており、圧力調整弁３８と流量調整弁４０とは連結ホース６６によって接続されており、流量調整弁４０とオゾン発生装置３０とは連結ホース６８によって接続されており、オゾン発生装置３０には連結ホース６９を介して排気ホース６４が接続されている。また、圧力調整弁３８と流量調整弁４２とは連結ホース７０によって接続されており、流量調整弁４２に連結した連結ホース７２は連結ホース６９に接続（合流）されている。なお、排気ホース６４はフッ素、シリコンなど耐オゾン性のある材質によって構成される。また、連結ホース６６、６８、６９、７０、７２は、フッ素、シリコンなど耐オゾン性のある材質の他に、金属管によって構成してもよい。このように、排気ホース６４、連結ホース６６、６８、６９はコンプレッサ１８から排出されたエアをオゾン発生装置３０に導く案内部材として機能する。
【００２９】
コンプレッサ１８から圧力調整弁３８には高圧のエアが送られる。そこで、圧力調整弁３８によって、オゾン発生装置３０に送り込むエア圧が調整される。さらに、圧力調整弁３８から連結ホース６６を通過するエアは、流量調整弁４０によって流量が調整されてからオゾン発生装置３０に送られる。そして、オゾン発生装置３０で発生したオゾンは、流量調整弁４０を通過したエアによって連結ホース６９に押し出される。一方、圧力調整弁３８から分岐して連結ホース７０を通過するエアは、流量調整弁４２によって流量が調整され、連結ホース７２を介して連結ホース６９を移動するオゾンが含まれる空気流と混合され、排気ホース６４から放出される。そして、排気ホース６４を車内に挿入し、オゾンを送り込むことによって車内の脱臭が行われる。このように、排気ホース６４は排気部材に相当する。
【００３０】
すなわち、圧力調整弁３８から流量調整弁４０に向かうエアはオゾン生成用のエアとなり、圧力調整弁３８から流量調整弁４２に向かうエアは車内にオゾンを送るためのエアとなる。本実施形態によれば、圧力調整弁３８から流量調整弁４２に向かうエア量は、圧力調整弁３８から流量調整弁４０に向かうエア量よりも多くなるように設計されている。
【００３１】
［充電部の構成］
充電部７は、変圧器８０、リレー回路８２、電気自動車に接続する充電用プラグ８４、電源線８６などから構成されている。
【００３２】
リレー回路８２には、制御回路１０及び変圧器８０が接続されている。変圧器８０は、電源５０の交流電力の電圧の高さを、電気自動車の蓄電池を充電するために適した高さに変換するものである。リレー回路８２は、電気自動車の蓄電池に対する電源５０からの電力供給の開始、停止を切り換えるものである。充電用プラグ８４は、電気自動車に接続することにより、リレー回路８２と電気自動車の蓄電池とを電源線８６を介して電気的に接続するものである。制御回路１０からの信号に基づいてリレー回路８２が、変圧器８０からの電力の供給、停止を切り換えることにより、電気自動車の蓄電池に対する充電の開始、停止が切り換えられる。
【００３３】
［自動車用掃除機の動作］
まず使用者は、コイン投入口にコインを投入する。投入されたコインはコイン識別装置１４によって識別され、投入されたコインの総額を計算する。コインの総額が規定額以上になった場合に、操作パネル１２の操作が可能になる。また、使用者が、プリペイドカードスロットにプリペイドカードを挿入した場合には、プリペイドカード装置１６がプリペイドカードに記憶されている有価価値情報（残額）を読み取り、有価価値情報が規定額以上である場合に、操作パネル１２の操作が可能になる。
【００３４】
そして、使用者が、操作パネル１２における掃除部３の起動スイッチ、脱臭部５の起動スイッチ及び充電部７の起動スイッチのいずれかを操作することにより、掃除部３、脱臭部５及び充電部７のいずれかを起動させることが可能になる。ここで、充電部７の起動スイッチは、掃除部３又は脱臭部５が起動中であっても、コインあるいはプリペイドカードを投入することによって操作可能である。逆に、充電部７が起動中であっても、コインあるいはプリペイドカードを投入することによって、掃除部３の起動スイッチ、あるいは脱臭部５の起動スイッチの操作が可能になる。
【００３５】
脱臭部５を起動させる場合には、脱臭部５の起動スイッチを操作する前に、車内に排気ホース６４を入れておく。充電部７を起動させる場合には、充電部７の起動スイッチを操作する前に、充電用プラグ８４を電気自動車に接続しておく。なお、コインの総額が規定額を超えている場合には、お釣りの払出が行われる。また、プリペイドカード装置１６は、プリペイドカードに記憶されている有価価値情報を、プリペイドカードを挿入前の有価価値情報から規定額分の有価価値情報からを差し引いたものに更新して、使用者に返却する。
【００３６】
掃除部３の起動スイッチを押下した場合には、制御回路１０はタイマとして機能して計時を開始する。そして、制御回路１０は、タイマ値が予め設定された時間内の場合には電源５０からの電力をコンプレッサ１８に供給可能にし、タイマ値が予め設定された時間に到達した場合には電源５０からコンプレッサ１８への電力供給を停止する。このとき、制御回路１０は、リレー回路３６に電圧（信号）を印加しないため、オゾン生成用高圧電源３２から高電圧がオゾン発生装置３０に供給されない。すなわち、脱臭部５は起動しない。そして、電源５０からコンプレッサ１８に電力が供給されている間は、吸込ホース６０からエアが異物とともに吸い込まれ、ゴミや粉塵は、集塵バケツ２０に蓄積される。
【００３７】
脱臭部５の起動スイッチを押下した場合には、制御回路１０は、タイマとしての計時を開始する。そして、制御回路１０は、タイマ値が予め設定された時間内の場合には電源５０からの電力をコンプレッサ１８に供給可能にする。また同時に、制御回路１０は、リレー回路３６に電圧を印加し、リレー回路３６を作動させる。リレー回路３６が作動することによって、オゾン生成用高圧電源３２が起動し、オゾン生成用高圧電源３２から高電圧がオゾン発生装置３０に供給される。そして、電源５０からコンプレッサ１８に電力が供給されている間は、エアが導入ホース６２、圧力調整弁３８、流量調整弁４０を介して、オゾン発生装置３０に供給される。そして、オゾン発生装置３０において発生したオゾンはエアによって押し出され、流量調整弁４２を通過したエアと混合して、排気ホース６４から排出される。このように、オゾンを含有したエアが排気ホース６４から車内に排気される。タイマ値が予め設定された規定時間に到達した場合には、制御回路１０は、電源５０からコンプレッサ１８への電力供給を停止するとともに、リレー回路３６への電圧の印加を停止する。これにより、オゾン生成用高圧電源３２から高電圧がオゾン発生装置３０に供給されないようになる。
【００３８】
充電部７の起動スイッチを押下した場合には、制御回路１０は、予め設定された充電時間分、リレー回路８２に電圧（信号）を印加し、リレー回路８２を作動させる。リレー回路８２が作動することによって、電源５０から変圧器８０を介して電気自動車用プラグ８４に電気を供給する。これにより、電気自動車の蓄電池の充電が行われるようになる。
【００３９】
図３は、自動車用掃除機１の外観構造及び利用形態を示す説明図である。図３に示す自動車用掃除機１は、１つの筐体１００の内部に、図１に示す掃除部３、脱臭部５及び充電部７が収納されている。また、筐体１００に吸込ホース６０及び排気ホース６４の一端が連結されている。このため、吸込ホース６０の他端は吸気口となり、排気ホース６４の他端は排気口となる。また、筐体１００からは、一端が充電部７に接続され、他端に充電プラグ８４を備えた電源線８６が延びている。また、筐体１００には、操作パネル１２（図１参照）、コイン投入口（図示せず）及びプリペイドカードスロット（図示せず）が設けられている。
【００４０】
自動車用掃除機１を用いて掃除を行う際には、吸込ホース６０の他端に掃除用のカートリッジを取り付け、車内のゴミや塵埃を吸引する。電気自動車の蓄電池を充電する際には、電気自動車に充電用プラグ８４を差し込み、図示しないコイン投入口にコインを投入するかあるいは図示しないプリペイドカードスロットを挿入して、操作パネル１２を操作する。これにより、充電が規定時間行わる。
【００４１】
自動車用掃除機１を用いて車内の脱臭を行う際には、まず、自動車用掃除機１に自動車１２０を近づけ、排気ホース６４を窓１２１の上方から挿入して、助手席の足下に排気ホース６４の排気口を置く。次に、自動車１２０の窓１２１をできるだけ上に上げ、車内を可能な限り密閉状態にして、エンジンをかけ、エアコンを内気循環、冷房、強風、正面吹出しにセットする。そして、図示しないコイン投入口にコインを投入するか、あるいは図示しないプリペイドカードスロットを挿入して、操作パネル１２を操作すると、自動車用掃除機１が動作し、脱臭作業が開始される。規定時間が経過すると、脱臭作業が終了する。脱臭作業の終了後は、自動車の窓１２１やドアー１２２を開けて車内の換気を行う。これによって、脱臭動作は終了する。
【００４２】
このように、１つの筐体１００の内部に、図１に示す掃除部３及び脱臭部５を収納することにより、掃除部３及び脱臭部５を起動させるための操作パネル１２やコンプレッサ１８を共用することが可能になる。これにより、掃除機と脱臭装置を別々に購入するよりも、安価に掃除機能と脱臭機能とを有する自動車用掃除機１を購入することが可能になる。さらに、充電部７を収納することにより、電気自動車の充電機能を持たせることが可能になり、自動車用掃除機１のさらなる多機能化を図ることが可能になる。
【００４３】
以上説明したように、本実施形態によれば、オゾン脱臭機能を備えた自動車用掃除機１を提供することが可能になる。また、１つのコンプレッサ１８によって、掃除部３における吸込ホース６０を介するゴミの吸引と、脱臭部５における排気ホース６４を介するオゾンの放出が行われる。このため、コンプレッサ１８の共用が可能になり、その分、低コスト化を図ることが可能になる。他にも、電源５０、操作パネル１２、コイン識別装置１４、プリペイドカード装置１６の共用が可能となり、小型化、低コスト化を図ることが可能になる。その結果、オゾン脱臭機能を備えた自動車用掃除機１が導入し易くなり、自動車の掃除及び脱臭のサービスを容易に提供することが可能になる。
【００４４】
また本実施形態によれば、充電機能を有しており、自動車用掃除機１の多機能化を図ることが可能になる。また、コンビニエンスストアやホームセンターに本実施形態の自動車用掃除機１を設置することにより、電気自動車の充電時間に、買い物をしたりあるいは車内清掃や脱臭したりすることが可能になる。
【００４５】
なお、本考案は、上述した実施形態に限るものではない。例えば、掃除部３を起動させる場合には、吸込ホース６０を掃除部３に連結しているが、脱臭部５を起動させる場合において、吸込ホース６０を掃除部３から外して脱臭部５に連結し、車内に入れてもよい。このように、吸込ホース６０と排気ホース６４とを１つのホースで共用してもよい。また、排気ホース６４から放出されたオゾン入り混合気体を、吸込ホース６０に吸入させるといったことを行い、生成したオゾンを集塵バケツ２０に送り込んで、集塵バケツ２０の脱臭、殺菌をしてもよい。
【００４６】
また、脱臭部５は、掃除部３に対して着脱自在なユニット体として構成してもよい。また、充電部７も、掃除部３に対して着脱自在なユニット体として構成してもよい。
【符号の説明】
【００４７】
１  自動車用掃除機
３  掃除部
５  脱臭部
７  充電部
１０  制御回路
１２  操作パネル
１８  コンプレッサ
２０  集塵バケツ
２２  集塵ユニット
３０  オゾン発生装置
３２  オゾン生成用高圧電源
３４、８０  変圧器
３６、８２  リレー回路
３８  圧力調整弁
４０、４２  流量調整弁
５０  電源
６０  吸込ホース
６２  導入ホース
６４  排気ホース
６６、６８、７０、７２  連結ホース
８４  充電用プラグ
８６  電源線
１００  筐体
１２０  自動車
１２１  窓
１２２  ドアー
【図１】
0003158046.tif 000003
【図２】
0003158046.tif 000004
【図３】
0003158046.tif 000005